(57)【特許請求の範囲】
【請求項１】
接触クリーニング用の幅広粘着シートロールを製造可能な装置において、
回転可能に取り付けられたテンションローラーと、
前記テンションローラーの下方に位置付けられている、回転可能に取り付けられたパスローラーとを備え、
前記回転可能に取り付けられたテンションローラーは高さ調整可能な端部を有し、
前記回転可能に取り付けられたテンションローラーと前記回転可能に取り付けられたパスローラーとの間には、ウェブを受け入れるとともに幅広粘着シートロールを形成することが可能な間隙があり、
前記テンションローラーの前記端部は、該テンションローラーの両端部にある、使用中に該テンションローラーの高さを常に変えることが可能である高さ調整可能な手段に連結されており、
前記高さ調整可能な手段は、
前記テンションローラーの両端部の鉛直方向の移動量を制限することが可能である調整可能なデッドストップ機構と、
前記デッドストップ機構の全ての構成部品を取り付けることが可能であるバックプレートと、
使用中に鉛直方向に移動可能である可動ジョーとを含み、
前記可動ジョーは、ばね作動式であるとともに該可動ジョーが動くことを可能にし、該可動ジョーとともに鉛直方向に移動可能であるアームに連結され、該アームは、前記バックプレート上のピボット点の回りに関節式に動くことが可能なレバーに連結されている接触クリーニング用の幅広粘着シートロールを製造可能な装置。
【請求項２】
前記回転可能に取り付けられたテンションローラーは、使用中に該テンションローラーの高さを調整可能であり、したがって、一定または略一定の圧力がウェブに印加されることを確実にし、以って幅広粘着シートロールを形成することを可能にする請求項１に記載の接触クリーニング用の幅広粘着シートロールを製造可能な装置。
【請求項３】
約１．５ｍよりも広く、任意選択的に最大約２．２ｍまたはそれよりも更に広い幅を有する幅広粘着シートロールを形成することが可能である請求項１または２に記載の接触クリーニング用の幅広粘着シートロールを製造可能な装置。
【請求項４】
前記可動ジョー及び前記デッドストップの前記鉛直位置は、最適な動作条件を得るとともに一定または略一定の圧力を前記粘着ウェブの両端部にわたって与えるように縦スロット内で調整することが可能である請求項１に記載の接触クリーニング用の幅広粘着シートロールを製造可能な装置。
【請求項５】
前記テンションローラー及び前記パスローラーを取り付けることが可能である回転可能なシャフトも備える請求項１〜４の何れか１項に記載の接触クリーニング用の幅広粘着シートロールを製造可能な装置。
【請求項６】
前記テンションローラーは形状が実質的に円筒であり、同様に形状が実質的に円筒である前記パスローラーの上方に位置付けられている請求項１〜５の何れか１項に記載の接触クリーニング用の幅広粘着シートロールを製造可能な装置。
【請求項７】
前記粘着シートロールの給送速度を制御するブレーキも備える請求項１〜６の何れか１項に記載の接触クリーニング用の幅広粘着シートロールを製造可能な装置。
【発明の詳細な説明】
【技術分野】
【０００１】
本発明は、接触クリーニング用の幅広粘着シートロールに関する。より詳細には、本発明は、接触クリーニング用の幅広粘着シートロール、及び、テンションローラーの位置を制御する調整可能なデッドストップを用いてこの幅広粘着シートロールを製造する方法に関する。
【背景技術】
【０００２】
基板表面をクリーニングするのに接触クリーニングが用いられている。基板表面は、クリーニングされると、電子機器、太陽電池及びフラットパネルディスプレイの製造におけるような多様な精密加工に用いることができる。通常、ゴム製または弾性のクリーニングローラーを用いて基板表面から汚染粒子を除去し、その場合、粘着シートロールを用いてクリーニングローラーから汚染粒子を取り除くことができる。これにより、クリーニングローラーは汚染粒子を除去する際のその効率が最大となることが可能になる。
【０００３】
しかしながら、粘着ロールを製造する上で、１．５ｍよりも広い幅のような、良質の幅広粘着シートを形成可能ではなかったという点で課題が存在してきた。粘着シートを形成するこれまでの方法は、展開及びカッティングする上での困難に起因して、良質の幅広粘着シートを形成することが不可能であった。さらに、これまで、幅広粘着ロールを製造することが可能でなかったことに起因して、２本以上の粘着クリーニングロールを横につないで、より幅広の接触クリーニングエリアを形成する試行がなされてきた。しかしながら、これは、２本の粘着ロール（正：rolls）をマンドレルに取り付ける上で、また、２本のロール（正：rolls）間に間隙が形成されることを防ぐ上で困難をもたらすものであった。
【発明の概要】
【発明が解決しようとする課題】
【０００４】
本発明の少なくとも１つの態様の目的は、上記課題のうちの少なくとも１または複数を排除するかまたは軽減することである。
【０００５】
本発明の少なくとも１つの態様の更なる目的は、接触クリーニング用の幅広粘着シートロールを提供することである。
【０００６】
本発明の少なくとも１つの態様の更なる目的は、テンションローラーの位置を制御する調整可能なデッドストップを用いて幅広粘着シートロールを製造する改善された方法を提供することである。
【課題を解決するための手段】
【０００７】
本発明の第１の態様によれば、接触クリーニング用の幅広粘着シートロールを製造可能な装置において、回転可能に取り付けられたテンションローラーと、前記テンションローラーの下方に位置付けられている、回転可能に取り付けられたパスローラーとを備え、
前記回転可能に取り付けられたテンションローラーは高さ調整可能な端部を有し、
前記回転可能に取り付けられたテンションローラーと前記回転可能に取り付けられたパスローラーとの間には、ウェブを受け入れるとともに幅広粘着シートロールを形成可能な間隙がある接触クリーニング用の幅広粘着シートロールを製造可能な装置が提供される。
【０００８】
本発明は、上側に位置付けられている、前記回転可能に取り付けられたテンションローラーが、使用中に該テンションローラーの高さを調整可能であり、そのため、一定のまたは略一定の圧力が、粘着シートロールを形成するウェブに印加されることを確実にする、接触クリーニング用の幅広粘着シートロールを製造可能な装置に関する。これにより、高品質の粘着シートを形成可能になる。この著しく有利な特徴により、テンションローラー用の固定端部を備える装置を用いた場合にこれまで可能であったよりも幅広粘着シートロールを形成可能になる。
【０００９】
本発明の装置は通常、約１．５ｍよりも広く、任意選択的に最大約２．２ｍまたはそれよりも更に広い幅を有する幅広粘着シートロールを形成可能であってもよい。
【００１０】
したがって、回転可能に取り付けられたテンションローラーは、その高さを、互いに逆回転しているテンションローラーとパスローラーとの間での粘着ウェブの給送中に調整することが可能であるものとすることができる。高さ調整は、テンションローラーの両端部の高さを変えることを可能にする任意の適した手段を用いることによって達成することができる。
【００１１】
特定の実施形態では、テンションローラーの両端側に、高さ調整可能な手段があるものとすることができる。前記高さ調整可能な手段は、前記テンションローラーの両端部の鉛直方向の移動量を制限することが可能である調整可能なデッドストップ機構も含んでもよい。
【００１２】
前記高さ調整可能な手段は、前記デッドストップ機構の全ての構成部品を取り付けることが可能であるバックプレートを含んでもよい。前記高さ調整可能な手段は、鉛直方向に移動可能である可動ジョーを含んでもよい。前記可動ジョーは、ばね作動式であってもよいとともに該可動ジョーが動くことを可能にし、該可動ジョーとともに鉛直方向に移動可能であるアームに連結されてもよい。前記アームは、前記バックプレート上のピボット点の回りに関節式に動くことが可能なレバーに連結されてもよい。
【００１３】
したがって、高さ調整可能な手段は、可動ジョーの鉛直方向の移動量を制御及び制限するデッドストップを含むことができる。
【００１４】
前記可動ジョー及び前記デッドストップの前記鉛直方向の位置は、最適な動作条件を得るとともに一定または略一定の圧力を前記粘着ウェブの両端部にわたって与えるように縦スロット内で調整されてもよい。
【００１５】
前記装置は、前記テンションローラー及び前記パスローラーを取り付けることが可能である回転可能なシャフトも備えてもよい。
【００１６】
前記テンションローラーは形状が実質的に円筒であってもよく、同様に形状が実質的に円筒であってもよい前記パスローラーの上方に位置付けられてもよい。
【００１７】
前記装置は、前記ウェブの給送速度を制御するブレーキも備えてもよい。
【００１８】
本発明の第２の態様によれば、接触クリーニング用の幅広粘着シートロールを製造する方法であって、該方法は装置を用いることを含み、前記装置は、
回転可能に取り付けられたテンションローラーと、
前記テンションローラーの下方に位置付けられている、回転可能に取り付けられたパスローラーとを備え、
前記回転可能に取り付けられたテンションローラーは高さ調整可能な端部を有し、
前記回転可能に取り付けられたテンションローラーと前記回転可能に取り付けられたパスローラーとの間には、ウェブを受け入れるとともに幅広粘着シートロールを形成可能な間隙がある接触クリーニング用の幅広粘着シートロールを製造する方法が提供される。
【００１９】
前記装置は、第１の態様に記載のものであってもよい。
【００２０】
前記方法は、約１．５ｍよりも広く、任意選択的に最大約２．２ｍまたはそれよりも更に広い幅を有する幅広粘着シートロールを作製してもよい。
【００２１】
ここで本発明の実施形態を、添付の図面を参照しながら単なる例として説明する。
【図面の簡単な説明】
【００２２】
【図１】本発明の実施形態による接触クリーニング用の幅広粘着シートロールを製造可能な装置の前方斜視図である。
【図２】図１に示す装置の後方斜視図である。
【図３】図1、２に示す装置において用いられている調整可能なデッドストップ機構の拡大図である。
【発明を実施するための形態】
【００２３】
概して、本発明は、接触クリーニング用の幅広粘着シートロール、及び、調整可能なデッドストップを用いてこの幅広粘着シートロールを製造する方法を提供することにある。
【００２４】
図１は、全体的に１００で示されている、幅広粘着シートロールを製造可能な装置の図である。装置１００は、テンションローラー１１０とパスローラー１１２とを備える。テンションローラー１１０は形状が実質的に円筒であり、同様に形状が実質的に円筒であるパスローラー１１２の上方に位置付けられている。図１に示されているように、幅広粘着ウェブ１１４が、互いに逆回転しているテンションローラー１１０とパスローラー１１２との間の間隙を通して給送される。図１はまた、装置がブレーキ１１６を備えることを示す。
【００２５】
図２は、装置１００の後方斜視図であり、幅広粘着ウェブ１１４がテンションローラー１１０とパスローラー１１２との間の間隙を通して給送されているところを示す。図２はまた、装置１００の両側に、調整可能なデッドストップ機構１１８があることを示す。図２の右側に示されている調整可能なデッドストップ機構１１８は、破線「Ａ」で丸囲みされており、図３に拡大して示されている。
【００２６】
図３は、デッドストップ機構１１８がデッドストップ機構１１８の全ての構成部品を取り付けられているバックプレート１２０を備えることを示す。テンションローラー１１０が、鉛直方向に移動可能な可動ジョー１２２に回転可能に取り付けられた状態で示されている。このことは以下でより詳細に説明する。可動ジョー１２２は下側の下面１２３を有する。可動ジョー１２２には、全体的に１２４で示されているアームが連結されており、このアームはバックプレート１２０に取り付けられている。アーム１２４は、ばね作動式であるとともに連結点１２８において可動ジョー１２２に連結されている上側部材１２６を含む。アーム１２４の下部には、上側部材１２６を受け入れるとともに可動ジョー１２２の高さ及び位置を動かすことができる下側部材１２５がある。アーム１２４の下端１３０が、バックプレート１２０上のピボット点１３４の回りに関節式に動くことが可能なレバー１３２に連結されている。
【００２７】
図３はまた、デッドストップ１３８が上部に取り付けられているブロック１３６があることを示す。デッドストップ１３８と可動ジョー１２２の下面１２３との間に、全体的に１４０で示されている間隙が示されている。したがって、ジョー１２２が間隙１４０内を実質的に鉛直方向に移動可能である。縦スロット１４２も示されており、この縦スロット１４２内で、可動ジョー１２２及びデッドストップ１３８の高さ及び鉛直方向の位置が調整可能である。
【００２８】
使用時、粘着ウェブ１１４がテンションローラー１１０とパスローラー１１２との間に給送される。ブレーキ１１６を用いてウェブ１１４の給送速度を制御することができる。このプロセス中、テンションローラー１１０及びパスローラー１１２が互いに対して反対に回転する際、上側に位置付けられているテンションローラー１１０は、その鉛直方向の位置を、線Ｂ−Ｃによって示す方向に沿って調整することが可能である。テンションローラー１１０の高さ及び位置が可動ジョー１１８を用いて常に調整することが可能であり、鉛直方向の移動量は調整可能なデッドストップ１３８によって制御されるため、これにより、一定または略一定の圧力がウェブ１１４の両端部にわたって印加されることが可能になる。本発明の装置１００のこの特徴により、これまで可能であったよりもいっそう幅広粘着ウェブ１１４を形成可能となる。例えば、本発明の装置１００は、約１．５ｍよりも広く、最大約２．２ｍまたはそれよりも更に広い幅広粘着シートロールを形成可能である。
【００２９】
本発明の特定の実施形態を上記に記載してきたが、記載されている実施形態からの逸脱は依然として本発明の範囲内にあるものとすることができることが理解されるであろう。さらに、幅広粘着ウェブの製造プロセス中に上側のテンションローラーの高さを調整することを可能にする任意の適したタイプの機構を用いることができる。
【符号の説明】
【００３０】
１００    装置
１１０    テンションローラー
１１２    パスローラー
１１４    幅広粘着ウェブ
１１４    粘着ウェブ
１１４    ウェブ
１１６    ブレーキ
１１８    デッドストップ機構
１１８    可動ジョー
１２０    バックプレート
１２２    可動ジョー
１２２    ジョー
１２３    下面
１２４    アーム
１２５    下側部材
１２６    上側部材
１２８    連結点
１３０    下端
１３２    レバー
１３４    ピボット点
１３６    ブロック
１３８    デッドストップ
１４０    間隙
１４２    縦スロット
【図１】
0005912119.tif 000002
【図２】
0005912119.tif 000003
【図３】
0005912119.tif 000004